(57)【要約】【課題】ファイル名に関するデータを複数で管理している場合であっても、操作性に自由度を有する通信によって適切にファイル名を決定できる撮像システム、撮像装置及び撮像装置プログラムを提供する。【解決手段】撮像システム１００は、カメラ１が、人体通信部４３を介して直前にファイル名の決定に用いた携帯情報端末５Ａから受信したファイル番号に基づいて撮像処理により出力される画像データのファイル名を決定するものであり、携帯情報端末５Ａと携帯情報端末５Ｂとが人体通信により通信可能であることを検出する通信状態検出部３２と、通信可能であることが検出された場合に、ファイル番号管理リスト６２Ａに記憶されたファイル番号を携帯情報端末５Ｂに引継ぐ番号引継部３３ｂとを有し、携帯情報端末５Ｂは、番号引継部３３ｂにより引継がれたファイル番号を、ファイル番号管理リスト６２Ｂに記憶させる記憶処理部５４Ｂを有することを特徴とする。【選択図】図１
2014236467.tif 000002
【特許請求の範囲】
【請求項１】
撮像装置と、
複数の番号管理装置と、
を備える撮像システムであって、
前記撮像装置と複数の前記番号管理装置とは、人体を介した人体通信が可能な通信部を各々備え、
前記複数の番号管理装置の各々は、前記撮像装置での撮像順を表すファイル番号を記憶するファイル番号記憶部を有し、
前記撮像装置は、
前記通信部を介して前記番号管理装置から受信した前記ファイル番号に基づいて撮像処理により出力される画像データのファイル名を決定するものであり、
前記複数の番号管理装置のうち直前にファイル名の決定に用いた前記ファイル番号を記憶した一の番号管理装置と、前記一の番号管理装置を除く他の番号管理装置とが前記人体通信により通信可能であることを検出する通信状態検出部と、
前記通信状態検出部により通信可能であることが検出された場合に、前記一の番号管理装置の前記ファイル番号記憶部に記憶された前記ファイル番号を、前記他の番号管理装置に引継ぐ番号引継部と、
を有し、
前記他の番号管理装置は、前記撮像装置の前記番号引継部により引継がれ、前記通信部を介して受信した前記ファイル番号を、前記ファイル番号記憶部に記憶させる記憶処理部を有すること、
を特徴とする撮像システム。
【請求項２】
請求項１に記載の撮像システムにおいて、
前記撮像装置は、前記一の番号管理装置と、前記他の番号管理装置とが通信可能であることを前記通信状態検出部が検出した場合に、前記一の番号管理装置から前記他の番号管理装置に対して前記ファイル番号を引継ぐか否かを確認する引継確認部を有し、
前記撮像装置の前記番号引継部は、前記引継確認部により引継ぐ旨の確認がされた場合に、前記一の番号管理装置の前記ファイル番号記憶部に記憶された前記ファイル番号を、前記他の番号管理装置に引継ぐこと、
を特徴とする撮像システム。
【請求項３】
請求項１又は請求項２に記載の撮像システムにおいて、
複数の前記番号管理装置の各々は、各番号管理装置を識別する識別情報を有し、
前記撮像装置は、
前記識別情報を記憶する識別情報記憶部と、
前記番号管理装置の前記識別情報を、前記通信部を介して受信する識別情報受信部と、
ファイル名の決定に用いた前記ファイル番号と共に前記識別情報受信部が受信した前記識別情報を、前記識別情報記憶部に記憶させる識別情報処理部と、
を有し、
前記撮像装置の前記番号引継部は、前記識別情報記憶部に記憶された前記識別情報に基づき、前記一の番号管理装置の前記ファイル番号記憶部に記憶された前記ファイル番号を、前記他の番号管理装置に引継ぐこと、
を特徴とする撮像システム。
【請求項４】
請求項３に記載の撮像システムにおいて、
前記撮像装置は、
前記識別情報受信部が受信した前記番号管理装置の前記識別情報と、前記識別情報記憶部に記憶された前記識別情報とが一致するか否かを判断する識別情報判断部と、
前記識別情報判断部により識別情報が異なると判断され、前記通信状態検出部が通信可能であることを検出しない場合に、前記識別情報記憶部の前記識別情報により特定される番号管理装置との接続指示を出力する接続指示出力部と、
を有すること、
を特徴とする撮像システム。
【請求項５】
請求項１から請求項４までのいずれかに記載の撮像システムにおいて、
前記撮像装置は、
前記番号管理装置から前記ファイル番号記憶部に記憶された最新に使用され、又は次に使用すべき前記ファイル番号を取得する番号取得部と、
前記番号取得部により取得した前記ファイル番号に基づいて、撮像処理により出力した画像データに関連付けるファイル名を決定するファイル名決定部と、
前記ファイル名決定部により決定されたファイル名に含まれるファイル番号又は次に使用すべきファイル番号を、前記番号管理装置に送信する番号送信部と、
を有し、
前記番号管理装置は、前記通信部を介して受信した前記ファイル番号を、前記ファイル番号記憶部に記憶させる記憶処理部を有すること、
を特徴とする撮像システム。
【請求項６】
撮像装置での撮像順を表すファイル番号を記憶する複数の番号管理装置と、人体を介した人体通信が可能な通信部と、
前記番号管理装置から受信した前記ファイル番号に基づいて撮像処理により出力される画像データのファイル名を決定するファイル名決定部と、
前記複数の番号管理装置のうち直前にファイル名の決定に用いた前記ファイル番号を記憶した一の番号管理装置と、前記一の番号管理装置を除く他の番号管理装置とが前記人体通信により通信可能であることを検出する通信状態検出部と、
前記通信状態検出部により通信可能であることが検出された場合に、前記一の番号管理装置に記憶された前記ファイル番号を、前記他の番号管理装置に引継ぐように制御する番号引継部と、
を備える撮像装置。
【請求項７】
複数の番号管理装置を所持する各々の所持者の人体を介して人体通信によって通信可能なコンピュータである撮像装置の撮像装置プログラムであって、
前記撮像装置は、
前記人体通信によって前記番号管理装置から受信した前記撮像装置での撮像順を表すファイル番号に基づいて撮像処理により出力される画像データのファイル名を決定するものであり、
前記撮像装置に、
前記複数の番号管理装置のうち直前にファイル名の決定に用いた前記ファイル番号を記憶した一の番号管理装置と、前記一の番号管理装置を除く他の番号管理装置とが前記人体通信により通信可能であることを検出する通信状態検出ステップと、
前記通信状態検出ステップにより通信可能であることが検出された場合に、前記一の番号管理装置に記憶された前記ファイル番号を、前記他の番号管理装置に引継ぐ番号引継ステップと、
を実行させること、
を特徴とする撮像装置プログラム。
【発明の詳細な説明】
【技術分野】
【０００１】
本発明は、撮像システム、撮像装置及び撮像装置プログラムに関するものである。
【背景技術】
【０００２】
従来、複数のカメラを、無線通信手段を介してリンクさせ、撮影した画像ファイルをカメラの記憶手段に書き込む際に使用したファイル名に関するリンクデータを送信するものが開示されている（例えば、特許文献１）。
特許文献１では、リンクデータを受信した場合は、そのカメラで撮影した画像ファイルを記憶手段に書き込む際に、受信したリンクデータに基づく画像ファイル名を使用し、さらに使用したファイル名に関するリンクデータを送信している。
【先行技術文献】
【特許文献】
【０００３】
【特許文献１】特開２０１０−１１８９１４号公報
【発明の概要】
【発明が解決しようとする課題】
【０００４】
しかし、無線通信手段を介してリンクデータを送受信するものでは、通信が遮断されてしまうと適切なファイル名を決定することができない。一方で、ファイル名に関するデータを複数で管理している場合には、ファイル名が重複する可能性がある。
【０００５】
本発明の課題は、ファイル名に関するデータを複数で管理している場合であっても、操作性に自由度を有する通信によって適切にファイル名を決定できる撮像システム、撮像装置及び撮像装置プログラムを提供することである。
【課題を解決するための手段】
【０００６】
本発明は、以下のような解決手段により前記課題を解決する。
【０００７】
第１の発明は、撮像装置と、複数の番号管理装置と、を備える撮像システムであって、前記撮像装置と複数の前記番号管理装置とは、人体を介した人体通信が可能な通信部を各々備え、前記複数の番号管理装置の各々は、前記撮像装置での撮像順を表すファイル番号を記憶するファイル番号記憶部を有し、前記撮像装置は、前記通信部を介して前記番号管理装置から受信した前記ファイル番号に基づいて撮像処理により出力される画像データのファイル名を決定するものであり、前記複数の番号管理装置のうち直前にファイル名の決定に用いた前記ファイル番号を記憶した一の番号管理装置と、前記一の番号管理装置を除く他の番号管理装置とが前記人体通信により通信可能であることを検出する通信状態検出部と、前記通信状態検出部により通信可能であることが検出された場合に、前記一の番号管理装置の前記ファイル番号記憶部に記憶された前記ファイル番号を、前記他の番号管理装置に引継ぐ番号引継部と、を有し、前記他の番号管理装置は、前記撮像装置の前記番号引継部により引継がれ、前記通信部を介して受信した前記ファイル番号を、前記ファイル番号記憶部に記憶させる記憶処理部を有すること、を特徴とする撮像システムである。
第２の発明は、撮像装置での撮像順を表すファイル番号を記憶する複数の番号管理装置と、人体を介した人体通信が可能な通信部と、前記番号管理装置から受信した前記ファイル番号に基づいて撮像処理により出力される画像データのファイル名を決定するファイル名決定部と、前記複数の番号管理装置のうち直前にファイル名の決定に用いた前記ファイル番号を記憶した一の番号管理装置と、前記一の番号管理装置を除く他の番号管理装置とが前記人体通信により通信可能であることを検出する通信状態検出部と、前記通信状態検出部により通信可能であることが検出された場合に、前記一の番号管理装置に記憶された前記ファイル番号を、前記他の番号管理装置に引継ぐように制御する番号引継部と、を備える撮像装置である。
第３の発明は、複数の番号管理装置を所持する各々の所持者の人体を介して人体通信によって通信可能なコンピュータである撮像装置の撮像装置プログラムであって、前記撮像装置は、前記人体通信によって前記番号管理装置から受信した前記撮像装置での撮像順を表すファイル番号に基づいて撮像処理により出力される画像データのファイル名を決定するものであり、前記撮像装置に、前記複数の番号管理装置のうち直前にファイル名の決定に用いた前記ファイル番号を記憶した一の番号管理装置と、前記一の番号管理装置を除く他の番号管理装置とが前記人体通信により通信可能であることを検出する通信状態検出ステップと、前記通信状態検出ステップにより通信可能であることが検出された場合に、前記一の番号管理装置に記憶された前記ファイル番号を、前記他の番号管理装置に引継ぐ番号引継ステップと、を実行させること、を特徴とする撮像装置プログラムである。
なお、上記構成は、適宜改良してもよく、また、少なくとも一部を他の構成物に代替してもよい。
【発明の効果】
【０００８】
本発明によれば、ファイル名に関するデータを複数で管理している場合であっても、操作性に自由度を有する通信によって適切にファイル名を決定できる撮像システム、撮像装置及び撮像装置プログラムを提供することができる。
【図面の簡単な説明】
【０００９】
【図１】本実施形態の撮像システムの全体構成図及び使用例を示す図である。
【図２】本実施形態のカメラの機能ブロック図である。
【図３】本実施形態の携帯情報端末の機能ブロック図である。
【図４】本実施形態の撮像システムでのメイン処理のフローチャートである。
【図５】本実施形態の撮像システムでの引継処理のフローチャートである。
【図６】本実施形態のカメラでの表示例を示す図である。
【図７】本実施形態の撮像システムでの撮影時処理のフローチャートである。
【図８】本実施形態のカメラと、携帯情報端末との間の処理を説明する図である。
【図９】本実施形態の撮像システムでのファイル番号引継処理を説明する図である。
【発明を実施するための形態】
【００１０】
（実施形態）
以下、図面等を参照して、本発明の実施形態について説明する。
図１は、本実施形態の撮像システム１００の全体構成図及び使用例を示す図である。
図２は、本実施形態のカメラ１の機能ブロック図である。
図３は、本実施形態の携帯情報端末５の機能ブロック図である。
図１（ａ）に示すように、撮像システム１００は、１台のカメラ１（撮像装置）と、２台の携帯情報端末５（５Ａ，５Ｂ）（番号管理装置）とが、人体９（９Ａ，９Ｂ）を介して通信可能なシステムである。
図１（ｂ）は、図１（ａ）の使用例として、人体９Ａと人体９Ｂとの接続を具体的に示す図である。
【００１１】
携帯情報端末５Ａの所持者Ｐ１は、直前までカメラ１を使用して撮影していた者である。所持者Ｐ１は、携帯情報端末５Ｂの所持者Ｐ２にカメラ１を受け渡し済である。所持者Ｐ１は、片方の手に携帯情報端末５Ａを持ち、もう片方の手は、携帯情報端末５Ｂの所持者Ｐ２と握手している。また、所持者Ｐ２は、片方の手に所持者Ｐ１から受け渡されたカメラ１を持ち、もう片方の手は、所持者Ｐ１と握手している。また、所持者Ｐ２のポケットには、携帯情報端末５Ｂが入った状態になっている。携帯情報端末５Ａは、所持者Ｐ１に接触又は近接している。また、カメラ１と携帯情報端末５Ｂとは、所持者Ｐ２に接触又は近接している。さらに、所持者Ｐ１と所持者Ｐ２とは握手によって接続されている。このような場合に、カメラ１と携帯情報端末５Ａ及び５Ｂとは、所持者Ｐ１及びＰ２の人体９Ａ及び９Ｂの介在により形成される電界を通信媒体として用いる人体通信技術を用いた通信を行う。
【００１２】
撮像システム１００は、携帯情報端末５Ａに記憶され、カメラ１が直前に画像データのファイル名の決定に用いた最新のファイル番号を、人体通信により携帯情報端末５Ｂに引継ぐ。そして、撮像システム１００は、携帯情報端末５Ｂに引継がれた最新のファイル番号を用いて、カメラ１で撮影した画像データのファイル名を決定する。
なお、携帯情報端末５Ａ，５Ｂは、各々所持者Ｐ１，Ｐ２が手に持っていてもよいし、各々所持者Ｐ１，Ｐ２のポケットや、所持者が所持する鞄等にしまっておいた状態でもよい。
【００１３】
図２に示すカメラ１は、レンズ部１０、レンズ駆動回路１１、撮像素子１２、画像処理回路１３、操作部２０、制御部３０、記憶部４０、メモリカード４１、表示部４２、人体通信部４３（通信部）等を有したデジタルカメラである。
レンズ部１０は、カメラ１の前部に設けられ、被写体の光Ａ１を入射し、撮影目的に応じて被写体像を拡大又は縮小して、撮像素子１２へと射出するズーム機能を有したレンズ群である。
レンズ駆動回路１１は、制御部３０の出力信号に基づいて、レンズ部１０を光軸方向に移動させる制御回路である。
撮像素子１２は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）である。撮像素子１２は、レンズ部１０から出射した光Ａ１を露光し、電気的な画像信号に変換する素子である。撮像素子１２は、制御部３０の出力信号に基づいて被写体像の撮像を行う。
画像処理回路１３は、撮像素子１２で変換した画像信号を画像データに変換する回路である。画像処理回路１３は、変換した画像データを制御部３０に出力する。
【００１４】
操作部２０は、カメラ１に設けられた操作用のスイッチ群である。操作部２０は、電源スイッチ２１、レリーズスイッチ２２、メニュースイッチ２３、ＯＫスイッチ２４等を備える。操作部２０の各スイッチは、操作情報を制御部３０に出力する。
電源スイッチ２１は、カメラ１に電源を投入又は遮断するスイッチである。
レリーズスイッチ２２は、被写体像の撮像に係る操作を実行するスイッチである。レリーズスイッチ２２は、半押しスイッチＳＷ１と、全押しスイッチＳＷ２（撮像指示部）とを有する。
半押しスイッチＳＷ１は、カメラ１の測光、測距等の撮影準備を開始させる（オートフォーカス（ＡＦ）等を実行する）スイッチである。
全押しスイッチＳＷ２は、被写体像の撮像を実行するスイッチである。また、全押しスイッチＳＷ２は、携帯情報端末５から最新のファイル番号を受信して、撮影された画像データを画像ファイルとして記憶する際のファイル名を決定するためのスイッチである。
【００１５】
メニュースイッチ２３は、例えば、連写モードや、セルフタイマモードを設定するためのメニュー画面を表示部４２に表示させるスイッチである。連写モードとは、１回の全押しスイッチＳＷ２の操作により複数回連続して撮像するモードをいう。また、セルフタイマモードとは、所定時間（例えば、１０秒）を予め設定しておき、全押しスイッチＳＷ２の操作から所定時間経過後に、被写体像の撮像を実行するモードをいう。
ＯＫスイッチ２４は、メニュースイッチ２３により表示されたメニュー画面において、例えば、表示させたモードに決定するためのスイッチである。
【００１６】
制御部３０は、カメラ１の各部を統括制御する制御回路であり、例えば、ＣＰＵ等から構成される。制御部３０は、レンズ駆動回路１１、画像処理回路１３、操作部２０、記憶部４０、メモリカード４１、表示部４２、人体通信部４３等と接続される。また、制御部３０は、記憶部４０に記憶された各種プログラムを適宜読み出して実行することにより、上述したハードウェアと協働し、各種機能を実行する。
制御部３０は、ＩＤ（ＩＤｅｎｔｉｆｉｅｒ）受信部３１、通信状態検出部３２、引継処理部３３、ＩＤ判断部３４、接続指示出力部３５、ファイル名処理部３６等を備える。
ＩＤ受信部３１は、携帯情報端末５を識別する端末ＩＤを、携帯情報端末５から受信する制御部である。
通信状態検出部３２は、直前にファイル名の決定に用いたファイル番号を記憶した携帯情報端末５と、他の携帯情報端末５とが、人体９による通信が可能であることを検出する制御部である。通信状態検出部３２は、例えば、直前にファイル名の決定に用いたファイル番号を記憶した携帯情報端末５Ａと、携帯情報端末５Ｂとの人体通信が可能であることを検出する。
【００１７】
引継処理部３３は、直前にファイル名の決定に用いたファイル番号を記憶した携帯情報端末５から、他の携帯情報端末５（引継ぎ先）へとファイル番号を引継ぐ制御部である。例えば、引継処理部３３は、直前にファイル名の決定に用いたファイル番号を記憶した携帯情報端末５Ａから携帯情報端末５Ｂに対して、ファイル番号を引継ぐ。
引継処理部３３は、引継確認部３３ａ、番号引継部３３ｂ等を有する。
引継確認部３３ａは、直前にファイル名の決定に用いたファイル番号を記憶した携帯情報端末５から、他の携帯情報端末５に対してファイル番号を引継ぐか否かを確認する。
番号引継部３３ｂは、携帯情報端末５に記憶されたファイル番号を、他の携帯情報端末５に引継ぐ。
【００１８】
ＩＤ判断部３４は、受信した携帯情報端末５の端末ＩＤと、ＩＤ記憶部４０ａに記憶された端末ＩＤとが一致するか否かを判断する制御部である。
接続指示出力部３５は、指定した端末ＩＤを有する携帯情報端末５との接続指示を出力する制御部である。接続指示出力部３５は、例えば、引継ぎ先の携帯情報端末５Ｂに、直前にファイル名の決定に用いたファイル番号を記憶した携帯情報端末５Ａとの接続指示を出力する。
ファイル名処理部３６は、携帯情報端末５からファイル番号を受信して、新たな画像データに関連付けるファイル名を決定する制御部である。
ファイル名処理部３６は、番号取得部３６ａ、ファイル名決定部３６ｂ、番号送信部３６ｃ等を備える。
番号取得部３６ａは、携帯情報端末５に記憶されている最新のファイル番号を取得する制御部である。
ファイル名決定部３６ｂは、番号取得部３６ａが取得したファイル番号に基づいて、新たな画像データに関連付けるファイル名を決定する制御部である。
番号送信部３６ｃは、ファイル名決定部３６ｂが決定し、新たな画像データに関連付けられたファイル名に含むファイル番号を、携帯情報端末５に送信する制御部である。
【００１９】
記憶部４０は、カメラ１の動作に必要なプログラム、情報等を記憶するための半導体メモリ素子等の記憶装置である。
記憶部４０は、ＩＤ記憶部４０ａを備える。
ＩＤ記憶部４０ａは、携帯情報端末５を識別する端末ＩＤを記憶する。端末ＩＤは、例えば、携帯情報端末５のＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）である。
なお、本発明でいうコンピュータとは、制御部、記憶装置等を備えた情報処理装置をいい、カメラ１は、制御部３０、記憶部４０等を備えた情報処理装置であり、本発明のコンピュータの概念に含まれる。
【００２０】
メモリカード４１は、カメラ１で撮影した画像データを記憶する半導体メモリ等の記憶媒体であり、カメラ１と着脱自在に接続される。
表示部４２は、撮影した画像データを表示したり、メニュー画面を表示したりする液晶モニタ（ＬＣＤ）であり、カメラ１の背面に設けられている。
人体通信部４３は、携帯情報端末５との間で人体９を介した人体通信を行うためのインタフェース部である。人体通信部４３は、例えば、カメラ１の側面（図示せず）等、所持者Ｐの手が接触したり、近接する部分であれば、カメラ１のどの部分に設けてもよい。また、所持者の首筋に接触するネックストラップ（図示せず）等、カメラ１本体に電気的に接続されたアクセサリに設けてもよい。
なお、人体通信とは、ここでは、所持者Ｐの人体９に生じた電界の変化を利用してデータの送受信を行う通信をいう。人体通信は、所持者Ｐの人体９の誘電体としての性質を利用した電界方式により行われる。この人体通信では、服等の絶縁物を介しても通信でき、体の表面上数ミリメートルは通信可能範囲とされる。
【００２１】
図３は、携帯情報端末５（５Ａ，５Ｂ）を示す。なお、以降の説明では、携帯情報端末５Ａ，５Ｂを特定しない場合には、Ａ及びＢの符号を付けずに説明する。携帯情報端末５は、制御部５０、記憶部６０、タッチパネル部７０、人体通信部７１、無線通信部７２等を有する。携帯情報端末５は、例えば、スマートフォン等の携帯電話機である。
制御部５０は、携帯情報端末５の各部を統括制御する制御回路であり、例えばＣＰＵ等から構成される。制御部５０は、記憶部６０、タッチパネル部７０、人体通信部７１、無線通信部７２等と接続される。また、制御部５０は、記憶部６０に記憶された各種プログラムを適宜読み出して実行することにより、上述したハードウェアと協働し、各種機能を実行する。
制御部５０は、取得要求受信部５１、番号抽出部５２、抽出番号送信部５３、記憶処理部５４、ＩＤ送信部５６等を備える。
【００２２】
取得要求受信部５１は、カメラ１からファイル番号の取得要求を受信する制御部である。
番号抽出部５２は、ファイル番号管理リスト６２（ファイル番号記憶部）（後述する）に記憶されたファイル番号のうち、最新のファイル番号としてそのリストの最後尾に記憶されたファイル番号を抽出する制御部である。
抽出番号送信部５３は、番号抽出部５２が抽出したファイル番号を、カメラ１に送信する制御部である。
記憶処理部５４は、カメラ１から受信したファイル番号を、ファイル番号管理リスト６２の最後尾に記憶させる制御部である。
ＩＤ送信部５６は、カメラ１と人体通信が確立されたことに応じて、携帯情報端末５の端末ＩＤをカメラ１に送信する制御部である。
【００２３】
記憶部６０は、携帯情報端末５の動作に必要なプログラム、情報等を記憶するための半導体メモリ素子等の記憶装置である。
なお、本発明でいうコンピュータとは、制御部、記憶装置等を備えた情報処理装置をいい、携帯情報端末５は、制御部５０、記憶部６０等を備えた情報処理装置であり、本発明のコンピュータの概念に含まれる。
記憶部６０は、ファイル番号管理リスト６２と、端末ＩＤ部６３とを記憶する。
ファイル番号管理リスト６２は、カメラ１から受信したファイル番号を、リスト形式で記憶するものである（図８参照）。ファイル番号とは、カメラ１で撮影された画像データに関連付けるファイル名の一部を構成するものをいう。ファイル番号管理リスト６２は、最新の画像データに関連付けたファイル名の一部を構成するファイル番号を有する。
端末ＩＤ部６３は、携帯情報端末５を識別する識別情報を記憶する。
【００２４】
タッチパネル部７０は、液晶パネル等で構成される表示部としての機能と、所持者Ｐからの指等によるタッチ入力を検出する入力部としての機能とを有する。
人体通信部７１は、カメラ１との間で人体９を介した人体通信を行うためのインタフェース部である。例えば、携帯情報端末５の外部接続端子（図示せず）に人体通信部７１を接続することで、携帯情報端末５は、人体通信部７１を備えることができる。
無線通信部７２は、例えば、通信事業者の携帯端末通信網用の基地局に対する通信を行うためのインタフェース部である。
【００２５】
次に、カメラ１と、携帯情報端末５との処理について説明する。
図４は、本実施形態の撮像システム１００でのメイン処理のフローチャートである。
図５は、本実施形態の撮像システム１００での引継処理のフローチャートである。
図６は、本実施形態のカメラ１での表示例を示す図である。
図４のステップＳ（以下、「Ｓ」という。）１０において、カメラ１の電源スイッチ２１が操作されることで、カメラ１の制御部３０は、操作情報を受け付けて電源を投入する電源ＯＮ処理を行う。
【００２６】
Ｓ１１において、制御部３０は、携帯情報端末５（引継ぎ先の携帯情報端末５Ｂ）との通信が確立できたか否かを判断する。制御部３０は、携帯情報端末５（５Ｂ）がそのカメラ１の所持者Ｐに接触又は近接した場合に、通信が確立できる。携帯情報端末５（５Ｂ）との通信が確立できた場合（Ｓ１１：ＹＥＳ）には、制御部３０は、処理をＳ１２に移す。他方、携帯情報端末５（５Ｂ）との通信が確立できない場合（Ｓ１１：ＮＯ）には、制御部３０は、処理をＳ１１に戻して、携帯情報端末５（５Ｂ）との通信が確立できるのを待つ。
Ｓ１２において、制御部３０（ＩＤ受信部３１）は、携帯情報端末５（５Ｂ）から端末ＩＤを受信する。具体的には、制御部３０が携帯情報端末５（５Ｂ）に対して端末ＩＤを依頼する。そして、携帯情報端末５（５Ｂ）のＩＤ送信部５６は、端末ＩＤ部６３に記憶された端末ＩＤをカメラ１に送信する。なお、この時点でカメラ１のＩＤ記憶部４０ａには、携帯情報端末５（５Ｂ）の端末ＩＤは記憶されない。
Ｓ１３において、制御部３０（通信状態検出部３２）は、他の携帯情報端末５（引継ぎ元の携帯情報端末５Ａ）との間の通信状態を検出し、通信可能であるか否かを検出する。他の携帯情報端末５（５Ａ）との間でも通信可能である場合（Ｓ１３：ＹＥＳ）には、制御部３０は、処理をＳ１４に移し、引継処理を行う。他方、他の携帯情報端末５（５Ａ）との間での通信が可能ではない場合（Ｓ１３：ＮＯ）には、制御部３０は、処理をＳ１５に移す。
【００２７】
ここで、引継処理について説明する。
図５のＳ４０において、カメラ１の制御部３０は、通信状態にある他の携帯情報端末５が、ＩＤ記憶部４０ａに記憶された端末ＩＤを有する携帯情報端末５（引継ぎ元の携帯情報端末５Ａ）であるか否かを判断する。他の携帯情報端末５がＩＤ記憶部４０ａに記憶された端末ＩＤを有する携帯情報端末５（５Ａ）である場合（Ｓ４０：ＹＥＳ）には、制御部３０は、処理をＳ４１に移す。他方、ＩＤ記憶部４０ａに記憶された端末ＩＤを有する携帯情報端末５（５Ａ）ではない場合（Ｓ４０：ＮＯ）には、制御部３０は、処理を図４のＳ１８に移す。なお、Ｓ４０における通信状態の確認は、携帯情報端末５（５Ｂ）と引継ぎ元である他の携帯情報端末５（５Ａ）が人体通信を介して通信可能か否かを判断するものであってもよい。
Ｓ４１において、制御部３０（引継確認部３３ａ）は、ＩＤ記憶部４０ａに記憶された端末ＩＤを有する携帯情報端末５（５Ａ）のファイル番号を、携帯情報端末５（５Ｂ）に引継ぐか否かの引継確認を出力する。例えば、制御部３０は、図６（ａ）に示す表示を表示部４２に出力する。
【００２８】
図５に戻り、Ｓ４２において、制御部３０（引継確認部３３ａ）は、引継を行う旨を受け付けたか否かを判断する。制御部３０（引継確認部３３ａ）は、例えば、図６（ａ）の例において、「はい」を受け付けたか否かを判断する。引継を行う旨を受け付けた場合（Ｓ４２：ＹＥＳ）には、制御部３０は、処理をＳ４３に移す。他方、引継を行う旨を受け付けていない場合（Ｓ４２：ＮＯ）には、制御部３０は、処理を図４のＳ１９に移す。
Ｓ４３において、制御部３０（番号引継部３３ｂ）は、番号引継処理を行う。具体的には、番号引継部３３ｂは、ＩＤ記憶部４０ａに記憶された端末ＩＤを有する携帯情報端末５（５Ａ）からファイル番号を受信して、携帯情報端末５（５Ｂ）にそのファイル番号を送信する。
なお、番号引継部３３ｂは、ＩＤ記憶部４０ａに記憶された端末ＩＤを有する携帯情報端末５（５Ａ）に対して、携帯情報端末５（５Ｂ）にファイル番号を送信するように、指示するものであってもよい。その場合には、携帯情報端末５（５Ａ）の制御部５０が、携帯情報端末５（５Ｂ）に対してファイル番号を送信すればよい。
【００２９】
Ｓ４３の処理により、携帯情報端末５（５Ｂ）の制御部５０（記憶処理部５４）は、受信したファイル番号を、ファイル番号管理リスト６２に記憶させる。よって、携帯情報端末５（５Ｂ）のファイル番号管理リスト６２には、カメラ１のＩＤ記憶部４０ａに記憶された端末ＩＤを有する携帯情報端末５（５Ａ）のファイル番号と同じファイル番号が記憶されることになる。
Ｓ４４において、制御部３０は、Ｓ１２において携帯情報端末５（５Ｂ）から受信した端末ＩＤ、すなわち引継ぎ先である携帯情報端末５（５Ｂ）が有する端末ＩＤを、ＩＤ記憶部４０ａに記憶させる。その後、制御部３０は、処理を図４のＳ１７に移す。
【００３０】
図４に戻り、Ｓ１５において、制御部３０は、カメラ１のＩＤ記憶部４０ａに端末ＩＤが記憶されているか否かを判断する。なお、カメラ１を初めて使用する場合には、ＩＤ記憶部４０ａには何も記憶されていない状態である。ＩＤ記憶部４０ａに端末ＩＤが記憶されている場合（Ｓ１５：ＹＥＳ）には、制御部３０は、処理をＳ１６に移す。他方、ＩＤ記憶部４０ａに端末ＩＤが記憶されていない場合（Ｓ１５：ＮＯ）、つまり、カメラ１を初めて使用する場合には、制御部３０は、処理をＳ１７に移す。なお、この場合、カメラ１は、Ｓ１１で通信確立した携帯情報端末５が、カメラ１の使用後に初めて通信確立した携帯情報端末５となる。
Ｓ１６において、制御部３０（ＩＤ判断部３４）は、ＩＤ記憶部４０ａに記憶されている端末ＩＤと、Ｓ１２において受信した端末ＩＤとが一致するか否かを判断する。一致する場合（Ｓ１６：ＹＥＳ）には、制御部３０は、処理をＳ１７に移す。他方、一致しない場合（Ｓ１６：ＮＯ）には、制御部３０は、処理をＳ１８に移す。ここで、一致しない場合とは、引継ぎ元の携帯情報端末５（５Ａ）での撮影が行われた後、カメラ１が引継ぎ先の携帯情報端末５（５Ｂ）と初めて通信確立した場合である。
Ｓ１７において、制御部３０は、後述する撮影時処理を行う。その後、制御部３０は、処理をＳ１９に移す。
【００３１】
他方、Ｓ１８において、制御部３０（接続指示出力部３５）は、ＩＤ記憶部４０ａに記憶された端末ＩＤを有する携帯情報端末５（５Ａ）との接続指示を、表示部４２に出力する。例えば、制御部３０は、図６（ｃ）に示す表示を表示部４２に出力する。その後、制御部３０は、処理をＳ１３に移す。
Ｓ１９において、制御部３０は、カメラ１の電源スイッチ２１が操作されて電源切断指示の操作情報（電源ＯＦＦ情報）を検出したか否かを判断する。電源切断指示の操作情報を検出した場合（Ｓ１９：ＹＥＳ）には、制御部３０は、電源を切断し、本処理を終了する。他方、電源切断指示の操作情報を検出しない場合（Ｓ１９：ＮＯ）には、制御部３０は、処理をＳ１１に移す。
なお、上述したフローを図１（ｂ）に即して説明すると次のとおりである。所持者Ｐ１は、携帯情報端末５Ｂの所持者Ｐ２にカメラ１を受け渡す。カメラ１のＩＤ記憶部４０ａには、直前にファイル名の決定に用いたファイル番号を記憶した携帯情報端末５（５Ａ）の端末ＩＤが記憶されている。所持者Ｐ２がカメラ１を手にすると、カメラ１は、携帯情報端末５（５Ｂ）の端末ＩＤを受信する（Ｓ１２）。そして、カメラ１での新たな撮影者である所持者Ｐ２が、直前の撮影者である所持者Ｐ１と握手をしていれば、引継ぎ処理（Ｓ１４）が実施される。一方、握手をしていなければ、所持者Ｐ２に対して直前の撮影者である所持者Ｐ１と握手するように指示がなされる（Ｓ１８、図６（ｃ））。
【００３２】
次に、カメラ１の撮影時の処理を説明する。
図７は、本実施形態の撮像システム１００での撮影時処理のフローチャートである。
図７の処理の前提として、カメラ１と、携帯情報端末５とは、各々電源が投入されており、所持者Ｐの人体９を介した通信が確立されている。また、カメラ１は、半押しスイッチＳＷ１が押されて、ＡＦ等が実行されている。
Ｓ５０において、カメラ１の制御部３０は、全押しスイッチＳＷ２が押されたことを検出した（ＯＮされた）か否かを判断する。全押しスイッチＳＷ２が押されたことを検出した場合（Ｓ５０：ＹＥＳ）には、制御部３０は、処理をＳ５１に移す。他方、全押しスイッチＳＷ２が押されたことを検出していない場合（Ｓ５０：ＮＯ）には、制御部３０は、処理をＳ５０に戻す。
Ｓ５１において、制御部３０は、ファイル番号の取得要求を、携帯情報端末５に対して送信する。
【００３３】
Ｓ６０において、携帯情報端末５の制御部５０（取得要求受信部５１）は、ファイル番号の取得要求を受信する。
Ｓ６１において、制御部５０（番号抽出部５２）は、ファイル番号管理リスト６２を参照し、最新のファイル番号を抽出する。なお、ファイル番号管理リスト６２が空の状態等、最新のファイル番号が存在しない場合（初めてカメラ１が携帯情報端末５と通信した場合）には、制御部５０は、ファイル番号として、例えば、「０」を取得する。
Ｓ６２において、制御部５０（抽出番号送信部５３）は、抽出（取得）した最新のファイル番号を、カメラ１に対して送信する。
【００３４】
Ｓ５２において、カメラ１の制御部３０（番号取得部３６ａ）は、携帯情報端末５から最新のファイル番号を受信する。
Ｓ５３において、制御部３０（ファイル名決定部３６ｂ）は、受信したファイル番号に「１」を加算したものを、新たなファイル番号にする。
Ｓ５４において、制御部３０（番号送信部３６ｃ）は、新たなファイル番号を、携帯情報端末５に対して送信する。
【００３５】
Ｓ６３において、携帯情報端末５の制御部５０は、カメラ１から新たなファイル番号を受信する。
Ｓ６４において、制御部５０（記憶処理部５４）は、受信した新たなファイル番号を、ファイル番号管理リスト６２に記憶させるリスト更新処理を行う。リスト更新処理では、受信した新たなファイル番号を、ファイル番号管理リスト６２の最後尾に記憶させる。その後、制御部５０は、本処理を終了する。
【００３６】
他方、Ｓ５５において、カメラ１の制御部３０は、図３のＳ１２にてＩＤ受信部が受信した端末ＩＤを、ＩＤ記憶部４０ａに記憶させる。
Ｓ５６において、制御部３０（ファイル名決定部３６ｂ）は、ファイル名を作成する。ファイル名は、例えば、カメラ１に固有の文字２桁（例えば、「ＨＣ」）に、ファイル番号４桁（４桁未満である場合には、上に「０」を付けて４桁にする。）を結合したものである。
なお、上述したＳ５１からＳ５６まで、及びＳ６０からＳ６４までの処理（Ｓ１００）を、ファイル名処理という。
【００３７】
Ｓ５７において、制御部３０は、被写体を撮像する撮像処理を行い、画像データを取得する。
Ｓ５８において、制御部３０は、画像ファイルをメモリカード４１に記憶させる記憶処理を行う。記憶処理として、制御部３０は、取得した画像データを、Ｓ５６で作成したファイル名の画像ファイルとして記憶させる。その後、制御部３０は、処理を図４に戻す。
なお、カメラ１の制御部３０は、撮像処理を、ファイル名処理の後に行うものとして説明した。しかし、制御部３０は、撮像処理を、Ｓ５０でＹＥＳが選択された場合に、ファイル名処理と並行して行ってもよい。その場合、制御部３０は、撮像処理と、ファイル名処理とが終了したことを契機に、記憶処理を行う。
【００３８】
次に、撮像システム１００の撮像時処理を具体的に説明する。
図８は、本実施形態のカメラ１と、携帯情報端末５Ａとの間の処理を説明する図である。
図８（ａ）は、全押しスイッチＳＷ２を押す操作がされて、カメラ１から携帯情報端末５Ａに対してファイル番号の取得要求を送信した場合に、携帯情報端末５Ａが行う処理を説明したものである。携帯情報端末５Ａの制御部５０Ａは、ファイル番号管理リスト６２Ａの中で、リストの最後尾である「１１０」を抽出して、カメラ１にファイル番号「１１０」を送信する（図７のＳ６２）。
【００３９】
図８（ｂ）は、カメラ１が携帯情報端末５Ａに対して新たなファイル番号を送信する処理を説明したものである。カメラ１の制御部３０は、携帯情報端末５Ａから取得した「１１０」に「１」を加算した「１１１」を、携帯情報端末５Ａに送信する（図７のＳ６４）。そして、携帯情報端末５Ａの制御部５０Ａは、ファイル番号管理リスト６２Ａの最後尾に「１１１」を追加する（図７のＳ６４）。
なお、この図８（ａ）から図８（ｂ）までのカメラ１と携帯情報端末５Ａとの間のデータの送受信処理は、ごく短時間に行われる。
【００４０】
図８（ｃ）は、カメラ１が画像データを保存する処理を説明したものである。カメラ１の制御部３０は、全押しスイッチＳＷ２を押す操作がされたことにより取得した画像データを、新たなファイル番号「１１１」を含むファイル名の画像ファイルとして、「ＨＣ０１１１．ｊｐｇ」をメモリカード４１に記憶している（図７のＳ５７）。
【００４１】
次に、携帯情報端末５Ａの所有者である所持者Ｐ１が、上述の撮影時処理を行ったカメラ１を、携帯情報端末５Ｂの所有者である所持者Ｐ２に渡した場合を説明する。そして、所持者Ｐ２は、所持者Ｐ１から渡されたカメラ１で撮影を行う。
図９は、本実施形態の撮像システム１００でのファイル番号引継処理を説明する図である。
Ｓ７０は、携帯情報端末５Ａを所持した所持者Ｐ１がカメラ１を持ったことにより、カメラ１と、携帯情報端末５Ａとの間で人体通信による通信が確立されたことを示す。カメラ１のＩＤ記憶部４０ａには、携帯情報端末５Ａの端末ＩＤが記憶されているため（図４のＳ１６でＹＥＳが選択）、カメラ１は、撮影可能な状態である。
【００４２】
Ｓ７１は、図７で説明したカメラ１と携帯情報端末５Ａとの間で行われる撮影処理を示す。カメラ１の制御部３０は、撮影処理により出力された画像データを、新たなファイル番号「１１１」を含むファイル名の画像ファイル「ＨＣ０１１１．ｊｐｇ」として記憶する。
Ｓ７２は、カメラ１が再度撮影処理を行った場合の撮影処理を示す。カメラ１の制御部３０は、撮影処理により出力された画像データを、新たなファイル番号「１１２」を含むファイル名の画像ファイル「ＨＣ０１１２．ｊｐｇ」として記憶する。
Ｓ７３は、所持者Ｐ１が、例えば、カメラ１を手放したことで、カメラ１と携帯情報端末５Ａとの間での人体通信が切断されたことを示す。
【００４３】
Ｓ７４は、カメラ１を、携帯情報端末５Ｂの所持者Ｐ２が持ったことにより、カメラ１と、携帯情報端末５Ｂとの間で人体通信による通信が確立されたことを示す（図４のＳ１１：ＹＥＳ）。
この時、カメラ１は、携帯情報端末５Ｂのみと通信可能である（図４のＳ１３：ＮＯ）。また、カメラ１の制御部３０（ＩＤ受信部３１）が受信した端末ＩＤ（Ｓ１２）は、カメラ１のＩＤ記憶部４０ａに記憶された端末ＩＤとは異なる（図４のＳ１６：ＮＯ）。
そこで、Ｓ７５において、カメラ１の制御部３０（接続指示出力部３５）は、例えば、図６（ｃ）に示すような、携帯情報端末５Ａとの接続指示を出力する（図４のＳ１８）。
【００４４】
Ｓ７６において、例えば、携帯情報端末５Ａの所持者Ｐ１と、携帯情報端末５Ｂの所持者Ｐ２とが握手することで、カメラ１の制御部３０は、携帯情報端末５Ａとも通信を確立する。そして、カメラ１の制御部３０（通信状態検出部３２）は、携帯情報端末５Ａと携帯情報端末５Ｂとの通信確立状態を検出する（図４のＳ１３：ＹＥＳ）。
そこで、Ｓ７７において、カメラ１の制御部３０（引継確認部３３ａ）は、例えば、図６（ａ）に示すような、引継確認を出力する（図５のＳ４１）。
【００４５】
Ｓ７８において、引継を行う旨を受け付けたことで、制御部３０（番号引継部３３ｂ）は、番号引継を行う。具体的には、制御部３０（番号引継部３３ｂ）は、携帯情報端末５Ａのファイル番号管理リスト６２Ａの最後尾に記憶されているファイル番号「１１２」を、携帯情報端末５Ｂのファイル番号管理リスト６２Ｂの最後尾に記憶させる（図５のＳ４４）。この処理の前は、携帯情報端末５Ｂのファイル番号管理リスト６２Ｂには、最後尾にファイル番号「２００」が記憶されていた。しかし、この処理により、ファイル番号管理リスト６２Ｂは、最後尾にファイル番号「２００」が記憶された状態になる。
【００４６】
Ｓ７９において、制御部３０は、例えば、図６（ｂ）に示すような、引継処理が終了した旨を表示させる。
これにより、携帯情報端末５Ａの所持者Ｐ１と、携帯情報端末５Ｂの所持者Ｐ２との間での握手をやめることができる。そして、所持者Ｐ１と所持者Ｐ２とが握手をやめたことにより、Ｓ８０において、カメラ１と携帯情報端末５Ａとの間での人体通信が切断される。
【００４７】
Ｓ８１は、カメラ１と携帯情報端末５Ｂとの間で行われる撮影処理を示す。これは、図７で説明したものと同様の処理を、カメラ１と携帯情報端末５Ｂとの間で行う。
携帯情報端末５Ｂは、ファイル番号管理リスト６２Ｂの最後尾に「１１２」のファイル番号を登録している。よって、撮影時処理によって、カメラ１に送信するファイル番号は「１１２」である。よって、カメラ１の制御部３０は、撮影処理により出力された画像データを、新たなファイル番号「１１３」を含むファイル名の画像ファイル「ＨＣ０１１３．ｊｐｇ」として記憶する。
【００４８】
以上、本実施形態によると、以下のような効果を有する。
（１）撮像システム１００は、カメラ１と、携帯情報端末５Ａと、携帯情報端末５Ｂとが通信可能な状態になった場合に、カメラ１にて直前にファイル名の決定に用いた携帯情報端末５Ａのファイル番号を、携帯情報端末５Ｂに引き継ぐことができる。
携帯情報端末５Ｂでは、携帯情報端末５Ａから引き継がれたファイル番号を記憶できる。
カメラ１が、例えば、携帯情報端末５Ａの所持者Ｐ１から携帯情報端末５の所持者Ｐ２に渡された場合であっても、カメラ１が撮像した画像データのファイル名を、他の画像データのファイル名と重複せず、かつ、連続したものにでき、撮像の時系列のファイル名にできる。よって、ファイル名に関するデータを、複数の携帯情報端末５で管理している場合であっても、操作性に自由度を有する通信によって適切にファイル名を決定できる。
【００４９】
（２）撮像システム１００は、カメラ１が、携帯情報端末５Ａから携帯情報端末５Ｂに対してファイル番号を引継ぐか否かを確認できる。
携帯情報端末５Ａの所持者Ｐ１が所持したカメラ１を、例えば、保存された画像ファイルを見るために携帯情報端末５Ｂの所持者Ｐ２が触った場合等には、引継確認を出力することで、引継ぎさせないようにできる。
（３）撮像システム１００は、カメラ１がＩＤ記憶部４０ａを有し、携帯情報端末５の端末ＩＤを記憶させることで、携帯情報端末５Ａと携帯情報端末５Ｂとが通信可能な状態になった場合に、携帯情報端末５Ａを決定できる。
よって、直前に使用した携帯情報端末５Ａに記憶されたファイル番号を、端末ＩＤを用いて携帯情報端末５Ｂに引き継ぐことができる。
【００５０】
（４）撮像システム１００は、カメラ１が直前に通信して撮像した画像データに付すファイル名のファイル番号を取得した携帯情報端末５Ａとは異なる携帯情報端末５Ｂとの間で通信が確立した場合に、端末ＩＤを用いて判断できる。また、端末ＩＤが異なると判断した場合には、ファイル番号を引継ぐために、直前に通信した携帯情報端末５Ａとの接続指示を出力するので、カメラ１の所持者Ｐに、携帯情報端末５Ａとの接続を促すことができる。
【００５１】
（５）撮像システム１００は、カメラ１からの撮像指示に応じて、携帯情報端末５に記憶されたファイル番号を取得し、取得したファイル番号に基づいて、撮像指示により出力される画像データを特定可能なファイル名を決定できる。また、カメラ１と、携帯情報端末５とは、カメラ１からの撮像指示により、撮像者の人体９を介して人体通信を用いて通信できる。よって、撮像指示により出力されるファイル名を構成するファイル番号を、撮像の直前又は撮像とほぼ同時に携帯情報端末５から取得できる。
【００５２】
（６）撮像システム１００は、ファイル名を、最新のファイル番号に基づいて決定するので、他の画像データのファイル名と重複しないものにできる。しかも、画像データのファイル名を、番号が連続したものにできる。よって、ファイル名によって、撮像の時系列に並べ替えが可能なものにできる。
また、決定されたファイル名に含まれるファイル番号を、携帯情報端末５に送信することで、携帯情報端末５では、最新のファイル番号を記憶できる。よって、ファイル番号の管理を、携帯情報端末５が行うことができる。
（７）撮像システム１００は、全押しスイッチＳＷ２による指示により画像処理回路１３が出力した画像データと、同じ全押しスイッチＳＷ２による指示によりファイル名決定部３６ｂにより決定されたファイル名とを関連づけることができる。
【００５３】
（変形形態）
以上、説明した実施形態に限定されることなく、以下に示すような種々の変形や変更が可能であり、それらも本発明の範囲内である。
（１）本実施形態では、携帯情報端末には、最新に使用したファイル番号を記憶するものとして説明した。しかし、これに限らず、次に使用すべきファイル番号を記憶するものでもよい。その場合には、カメラでは、受信したファイル番号をそのままファイル名を構成する一部に用いればよい。なお、カメラでの処理として、撮影回数分加算したファイル番号を携帯情報端末に送信する点については、同じである。
（２）本実施形態では、携帯情報端末がファイル番号管理リストを有するものとして、カメラから受信したファイル番号を、そのリストの最後尾に追加するものを説明した。しかし、これに限らず、カメラから受信したファイル番号を、そのリストの先頭に追加するものであってもよい。また、カメラから受信したファイル番号を上書きすることで、そのファイル番号のみを有するものでもよい。
【００５４】
（３）本実施形態では、直前にカメラを持って撮影した所持者から一旦手が離れた後に、その後撮影する所持者がカメラを持った場合を説明した。しかし、直前にカメラを持って撮影した所持者と、その後撮影する所持者とが、直接カメラを手渡ししてもよい。その場合には、手渡しの際に、両者の人体を介してカメラと各々の携帯情報端末との間で通信が確立されるので、その時にファイル番号の引継を行ってもよい。
【００５５】
（４）本実施形態では、人体通信を、人体の表面に発生する電界の変化を利用してデータの送受信を行う電界方式として説明した。しかし、これに限らず、他の人体通信の方法であってもよい。例えば、人体に微弱電流を流すことで、その電流に変調をかけてデータの送受信を行う電流方式でもよい。その場合には、カメラと、携帯情報端末との各々の装置に、カメラの所持者が触れるための電極部を設け、所持者は各々の装置の電極部に接触した状態で、全押しスイッチを操作する必要がある。
【００５６】
（５）本実施形態では、カメラは、画像データとして静止画を撮影するものとして説明した。しかし、これに限らず、画像データは、動画であってもよい。また、画像データを出力するものであれば、カメラに限らず、カメラ機能を備えた携帯電話機等であってもよい。
（６）本実施形態では、携帯情報端末は、ファイル番号を管理するものとして説明した。しかし、これに限らず、番号を記憶可能な媒体であって、人体通信が可能なものであれば、どのようなものでもよい。
なお、実施形態及び変形形態は、適宜組み合わせて用いることもできるが、詳細な説明は省略する。また、本発明は以上説明した実施形態によって限定されることはない。
【符号の説明】
【００５７】
１：カメラ、５，５Ａ，５Ｂ：携帯情報端末、９，９Ａ，９Ｂ：人体、３０：制御部、３１：ＩＤ取得部、３２：通信状態検出部、３３ａ：引継確認部、３３ｂ：番号引継部、３４：ＩＤ判断部、３５：接続指示出力部、３６ａ：番号取得部、３６ｂ：ファイル名決定部、３６ｃ：番号送信部、４０ａ：ＩＤ記憶部、４１：メモリカード、４３，７１：人体通信部、５０，５０Ａ：制御部、５４，５４Ｂ：記憶処理部、６２，６２Ａ，６２Ｂ：ファイル番号管理リスト、１００：撮像システム、Ｐ１，Ｐ２：所持者
【図１】
2014236467.tif 000003
【図２】
2014236467.tif 000004
【図３】
2014236467.tif 000005
【図４】
2014236467.tif 000006
【図５】
2014236467.tif 000007
【図６】
2014236467.tif 000008
【図７】
2014236467.tif 000009
【図８】
2014236467.tif 000010
【図９】
2014236467.tif 000011